(57)【要約】【課題】鉤針の糸捕捉鉤を閉塞するための蓋針を駆動するにあたり、騒音の発生を防止する。【解決手段】鉤針棒２に担持され上死点及び下死点間で垂直方向に直線往復運動して糸を捕捉、解放する糸捕捉鉤３ａを側設した鉤針３と、蓋針棒４に担持され垂直方向に直線往復運動して鉤針３の糸捕捉鉤３ａを閉塞する蓋針５と、鉤針棒２に一端が枢着され他端にカムフォロア６を有する蓋針駆動リンク７と、蓋針棒４に固着されカムフォロア６を水平方向に移動可能に嵌合する溝８ａを有するローラ保持部材８と、カムフォロア６を嵌入して上死点から下死点に向かって垂直方向に移動させると共に、下死点に向かって移動する当該カムフォロア６を所定位置で水平方向に移動させるＬ字状溝１０が形成されフレームに固定された案内溝板９とを備えている。【選択図】図１
2008264414.tif 000002
【特許請求の範囲】
【請求項１】
鉤針棒に担持され上死点及び下死点間で垂直方向に直線往復運動して糸を捕捉、解放する糸捕捉鉤を側設した鉤針と、
蓋針棒に担持され垂直方向に直線往復運動して前記鉤針の前記糸捕捉鉤を閉塞する蓋針と、
前記鉤針棒に一端が枢着され他端に凸部を有するリンクと、
前記蓋針棒に固着され前記凸部を水平方向に移動可能に嵌合する溝を有する第１の溝カム体と、
前記凸部を嵌入して前記上死点から前記下死点に向かって垂直方向に移動させると共に、前記下死点に向かって移動する当該凸部を所定位置で水平方向に移動させる溝が形成されフレームに固定された第２の溝カム体とを備えたことを特徴とするミシンの蓋針駆動機構。
【請求項２】
前記凸部はローラフォロアであることを特徴とする請求項１記載のミシンの蓋針駆動機構。
【請求項３】
上死点及び下死点間で垂直方向に直線往復運動して糸を捕捉、解放する糸捕捉鉤を側設した鉤針を使用し、前記鉤針が当該鉤針の上死点から下降して被縫製体に貫通し、針板を超えるまでの期間及び前記針板を超え、前記被縫製体から抜け出して前記上死点に達するまでの期間に前記糸捕捉鉤を閉塞するように前記鉤針に摺動させて駆動する蓋針駆動機構であって、
前記鉤針を担持する鉤針棒にリンクの一端を枢着し、
前記リンクの他端にローラを回転可能に枢支し、
前記ローラを、前記鉤針の直線往復運動を前記蓋針に伝達し、前記鉤針が前記上死点から下降して前記被縫製体に貫通し、前記針板を超えるまでの期間及び前記針板を超え、前記被縫製体から抜け出して前記上死点に達するまでの期間に前記糸捕捉鉤を閉塞する垂直溝と、前記垂直溝に曲線溝で連結され、前記鉤針の直線往復運動の前記蓋針への伝達を遮断し、前記糸捕捉鉤を開口する水平溝とから成り、フレームに固定されている案内溝板に形成されたＬ字状溝に嵌入してローラ保持部材に嵌着し、
前記ローラ保持部材を前記蓋針に担持する前記蓋針棒に固着することを特徴とするミシンの蓋針駆動機構。
【発明の詳細な説明】
【技術分野】
【０００１】
本発明はミシンの蓋針駆動機構に係り、特に鉤針が上死点から下降して被縫製体に貫通し、針板を超えるまでの期間及び針板を超え、被縫製体から抜け出して上死点に達するまでの期間に糸捕捉鉤を閉塞するように蓋針を駆動するミシンの蓋針駆動機構に関する。
【背景技術】
【０００２】
従来から、糸捕捉鉤を側設した鉤針を使用して１本の縫糸で被縫製体の一側上に手縫いの風合いをかもし出す縫目を形成するミシンが提案されている（例えば、特許文献１参照）。
【０００３】
【特許文献１】特公平４−３２３４号公報（第１０図）
【発明の開示】
【発明が解決しようとする課題】
【０００４】
このミシンにおいては、鉤針が上死点から下降して被縫製体に貫通し、針板を超えるまでの期間及び針板を超え、被縫製体から抜け出して上死点に達するまでの期間に糸捕捉鉤を閉塞するように蓋針を駆動させるために鉤針に蓋針駆動部や蓋針停止部を備えているので、その蓋針駆動部によって蓋針を上下に駆動する際に、蓋針駆動部が蓋針停止部へ当接するときの打音が騒音として発生するという難点がある。
【０００５】
本発明は、このような従来の難点を解消するためになされたもので、鉤針の糸捕捉鉤を閉塞するための蓋針を駆動するにあたり、騒音の発生を防止するミシンの蓋針駆動機構を提供することを目的とする。
【０００６】
また、本発明は、鉤針が上死点から下降して被縫製体に貫通し、針板を超えるまでの期間及び針板を超え、被縫製体から抜け出して上死点に達するまでの期間に糸捕捉鉤を閉塞するように蓋針を駆動するにあたり、騒音の発生を防止するミシンの蓋針駆動機構を提供することを目的とする。
【課題を解決するための手段】
【０００７】
上述の目的を達成する本発明のミシンの蓋針駆動機構は、鉤針棒に担持され上死点及び下死点間で垂直方向に直線往復運動して糸を捕捉、解放する糸捕捉鉤を側設した鉤針と、蓋針棒に担持され垂直方向に直線往復運動して前記鉤針の前記糸捕捉鉤を閉塞する蓋針と、鉤針棒に一端が枢着され他端に凸部を有するリンクと、蓋針棒に固着され凸部を水平方向に移動可能に嵌合する溝を有する第１の溝カム体と、凸部を嵌入して上死点から下死点に向かって垂直方向に移動させると共に、下死点に向かって移動する当該凸部を所定位置で水平方向に移動させる溝が形成されフレームに固定された第２の溝カム体とを備えたものである。なお、本明細書において「側設」とは、ある部材の周囲に設けられていることを意味する。また、「担持」とは、ある部材を担体に支持することを意味する。また、「枢着」とは、凸部分と凹部分をもって、回動自在に着けることを意味する。
【０００８】
このような第１の態様であるミシンの蓋駆動機構によれば、鉤針棒が下死点から上死点に向かって上昇すると、リンクの凸部が第２の溝カム体の溝に沿って上昇すると共に第１の溝カム体を上昇させることにより、第１の溝カム体が固定された蓋針棒を介して蓋針も上昇するので、鉤針の糸捕捉鉤は蓋針によって閉状態になる。また、鉤針棒が上死点から下死点に向かって下降すると、リンクの凸部は第２の溝カム体の溝に沿って下降した後に水平方向に移動することにより、第１の溝カム体はその位置で停止し当該第１の溝カム体が固定された蓋針棒を介して蓋針も停止するので、下降する鉤針の糸捕捉鉤は開状態になる。即ち、蓋針棒を垂直方向に直線往復運動させたり停止させたりするために、リンクの凸部を各溝カム体の溝に沿ってスムーズに移動させることができるので、部品同士を当接して蓋針を停止させる蓋針駆動機構のような打音による騒音を防ぐことができる。
【０００９】
本発明の第２の態様は第１の態様であるミシンの蓋駆動機構において、凸部はローラフォロアである。
【００１０】
このような第２の態様であるミシンの蓋駆動機構によれば、凸部がローラフォロアなので、各溝カム体の溝に対して転がり接触にすることができる。したがって、ローラフォロアが溝内を転がりながらスムーズに移動することができる。
【００１１】
また、本発明の第３の態様であるミシンの蓋駆動機構は、上死点及び下死点間で垂直方向に直線往復運動して糸を捕捉、解放する糸捕捉鉤を側設した鉤針を使用し、鉤針が当該鉤針の上死点から下降して被縫製体に貫通し、針板を超えるまでの期間及び針板を超え、被縫製体から抜け出して上死点に達するまでの期間に糸捕捉鉤を閉塞するように鉤針に摺動させて駆動する蓋針駆動機構であって、鉤針を担持する鉤針棒にリンクの一端を枢着し、リンクの他端にローラを回転可能に枢支し、ローラを、鉤針の直線往復運動を蓋針に伝達し、鉤針が上死点から下降して被縫製体に貫通し、針板を超えるまでの期間及び針板を超え、被縫製体から抜け出して上死点に達するまでの期間に糸捕捉鉤を閉塞する垂直溝と、垂直溝に曲線溝で連結され、鉤針の直線往復運動の蓋針への伝達を遮断し、糸捕捉鉤を開口する水平溝とから成り、フレームに固定されている案内溝板に形成されたＬ字状溝に嵌入してローラ保持部材に嵌着し、ローラ保持部材を蓋針に担持する蓋針棒に固着するものである。なお、本明細書において「枢支」とは凸部分と凹部分をもって、回動自在に支持することを意味する。また、「嵌着」とは嵌めることによって部材を着けることを意味する。
【００１２】
このような第３の態様であるミシンの蓋駆動機構によれば、鉤針棒が下死点から上死点に向かって上昇すると、リンクのローラが案内溝板の水平溝及び曲線溝を移動し、さらに垂直溝に沿って上昇すると共にローラ保持部材を上昇させることにより、ローラ保持部材が固定された蓋針棒を介して蓋針も上昇するので、鉤針の糸捕捉鉤は蓋針によって閉状態になる。また、鉤針棒が上死点から下死点に向かって下降すると、リンクのローラが案内溝板の垂直溝に沿って下降した後に曲線溝から水平溝へと移動することにより、ローラ保持部材はその位置で停止し当該ローラ保持部材が固定された蓋針棒を介して蓋針も停止するので、下降する鉤針の糸捕捉鉤は開状態になる。即ち、蓋針棒を垂直方向に直線往復運動させたり停止させたりするために、リンクのローラを案内溝板のＬ字状溝に対して転がり接触させることで当該Ｌ字状溝内を転がりながらスムーズに移動させることができるので、部品同士を当接して蓋針を停止させる蓋針駆動機構のような打音による騒音を防ぐことができる。
【発明の効果】
【００１３】
本発明のミシンの蓋針駆動機構によれば、部品同士を当接して蓋針を停止させる機構構成ではないので、打音による騒音を防ぐことができる。
【発明を実施するための最良の形態】
【００１４】
以下、本発明のミシンの蓋針駆動機構を実施するための最良の形態例について図面に基き説明する。
【００１５】
本発明のミシンの蓋針駆動機構は鉤針駆動機構と連動するもので図１、図２に示すように、鉤針棒２に担持され上死点及び下死点間で垂直方向に直線往復運動して糸を捕捉、解放する糸捕捉鉤３ａを側設した鉤針３に対して、蓋針棒４に担持され垂直方向に直線往復運動する蓋針５で鉤針３の糸捕捉鉤３ａを閉塞することができる。
【００１６】
鉤針駆動機構１Ａは、鉤針３が鉤針棒上メタル１２及び鉤針棒下メタル１３によって垂直方向に直線往復運動可能な状態でミシンのアームに設置された鉤針棒２に、針留１１の針止めネジ１４によって固定され、同時に針留１１が鉤針棒２の下端部に固定されている。なお、針留１１は鉤針棒２の下端部にねじ止めされた針留用ブラケット２５に針止めネジ１４で固定されている。また、鉤針棒上メタル１２及び鉤針棒下メタル１３間の鉤針棒２には針棒抱１５が固定され、この針棒抱１５の一端に形成されたクランクロッドピン１５ａは針棒クランクロッド１６の一端が回動自在に連結され、針棒クランクロッド１６の他端は駆動軸となる上軸１７の他端に固着された釣合錘１８にクランクロッドピン１９によって回動自在に連結されている。したがって、針棒クランクロッド１６が上軸１７の回転により釣合錘１８を介してクランク運動するので、鉤針３が針留１１で固定された鉤針棒２が針棒抱１５によって垂直方向に直線往復運動する。
【００１７】
蓋針駆動機構１Ｂは、蓋針５によって鉤針３の糸捕捉鉤３ａを開閉するもので、蓋針５が蓋針留２０に蓋針止めネジ２１で固定され、蓋針留２０が蓋針棒上メタル２２及び蓋針棒下メタル２３によって垂直方向に直線往復運動可能な状態でミシンのアームに設置された蓋針棒４の下端部に固定されている。
【００１８】
また、鉤針棒２に一端７ａが枢着され他端７ｂに凸部６を有する蓋針駆動リンク７と、蓋針棒４に固着され凸部６を水平方向に移動可能に嵌合する溝８ａを有する第１の溝カム体８と、凸部６を嵌入して上死点から下死点に向かって垂直方向に移動させると共に、下死点に向かって移動する当該凸部６を所定位置で水平方向に移動させる溝１０が形成されミシンのフレームに固定された第２の溝カム体９とを備えている。
【００１９】
凸部６は第１の溝カム体８の溝８ａ及び第２の溝カム体９の溝１０に対して転がり接触にするために、ローラフォロアが好ましい。これにより、ローラフォロア６が溝内を転がりながらスムーズに移動することができるので、第１の溝カム体８はローラ保持部材として機能する。このローラ保持部材８は蓋針棒上メタル２２及び蓋針棒下メタル２３間の蓋針棒４に固定されている。また、第２の溝カム体９の溝１０は、ローラフォロア６を嵌入して鉤針３の上死点から下死点に向かって垂直方向に移動させると共に、下死点に向かって移動するローラフォロア６を所定位置で水平方向に移動させる垂直溝１０ａ、水平溝１０ｂを有し、垂直溝１０ａ及び水平溝１０ｂを曲線溝１０ｃで連結したＬ字状溝１０に形成されていることが好ましい。これにより、第２の溝カム体９はローラフォロア６をＬ字状溝１０に沿ってスムーズに案内することができるので、案内溝板として機能する。
【００２０】
また、蓋針駆動リンク７の一端７ａは、針棒抱き１５の他端に形成されたピン１５ａにより回動自在に保持されている。この針棒抱き１５は鉤針棒上メタル１２及び鉤針棒下メタル１３間の鉤針棒２に固定されている。さらに、蓋針駆動リンク７の他端７ｂにはローラ軸が形成され、ローラ２４を回動自在に保持することでローラフォロア６が構成される。
【００２１】
なお、ローラ保持部材８が固定されている蓋針棒４が回転して、蓋針５が鉤針３の糸捕捉鉤３ａを閉塞できないような位置にずれないようにするために、ガイド板２４と案内溝板９でローラ保持部材８を移動可能に挟み込んでいる。具体的には、ガイド板２４は例えば２つのスペーサ２５、２５を介して案内溝板９に固定されている。このスペーサ２５の厚さは、ガイド板２４及び案内溝板９間の隙間がローラ保持部材８を移動させると共に蓋針棒４が回転しないような厚みで形成されている。
【００２２】
このように構成された蓋針駆動機構１Ｂは、例えば鉤針３の糸捕捉鉤３ａが上死点から下降して被縫製体に貫通し、針板（図示せず）を越えるまでの期間及び下死点から上昇して針板を越え、被縫製体を抜け出して上死点に達するまでの期間に糸捕捉鉤３ａを閉塞する蓋針５を駆動させることができる。このようなタイミングで蓋針５を駆動させることで、鉤針３が被縫製体を貫通する際に、糸捕捉鉤３ａが被縫製体の織り糸を引っ掛けて地糸切れの発生を防止すると共に、捕捉した糸が糸捕捉鉤３ａより抜け出ることを防止することができる。
【００２３】
具体的には、上軸１７の回転により鉤針棒２が下死点から上昇した場合には図３に示すように、蓋針駆動リンク７のローラフォロア６はローラ保持部材８の溝８ａ及び案内溝板９の水平溝１０ｂを水平方向に移動して案内溝板９の曲線溝１０ｃに到達する。蓋針５は、ローラフォロア６がローラ保持部材８の溝８ａ及び案内溝板９の水平溝１０ｂを水平方向に移動していることから停止状態なので、鉤針３だけが上昇する。この鉤針３だけが上昇する状態が、鉤針３の糸捕捉鉤３ａが下死点から上昇して針板を越え、被縫製体を抜け出す手前まで続くので、鉤針３が被縫製体から抜け出した時には図４（Ａ）、図５（Ａ）に示すように、鉤針３の糸捕捉鉤３ａは蓋針５によって閉状態にすることができる。
【００２４】
さらに、ローラフォロア６は曲線溝１０ｃに沿ってスムーズに垂直溝１０ａに移動することから、ローラ保持部材８はローラフォロア６の垂直溝１０ａに沿った垂直方向への上昇運動に連動して上昇するので、ローラ保持部材８が固定された蓋針棒４によって蓋針５は鉤針３と共に上昇を開始する。
【００２５】
このように、鉤針３の糸捕捉鉤３ａが下死点から上昇して針板を越え、被縫製体を抜け出すと糸捕捉鉤３ａは蓋針５によって閉塞され、この糸捕捉鉤３ａの閉塞状態は鉤針棒２が上昇している場合には、針板を超え、被縫製体から抜け出して上死点に達するまでの期間において持続されることになる。
【００２６】
また、上軸１７の回転により鉤針棒２が上死点から下降した場合には図１に示すように、蓋針駆動リンク７のローラフォロア６は案内溝板９の垂直溝１０ａに沿って下降して案内溝板９の曲線溝１０ｃに到達する。蓋針５はローラフォロア６が案内溝板９の垂直溝１０ａを垂直方向に下降していることから移動状態なので、鉤針３と共に下降する。この状態が、鉤針３の糸捕捉鉤３ａが上死点から下降して被縫製体に貫通し、針板を越える手前まで続くので、鉤針３の糸捕捉鉤３ａは蓋針５によって閉状態のままである。
【００２７】
さらに、ローラフォロア６は曲線溝１０ｃに沿ってスムーズに水平溝１０ｂに移動することからローラ保持部材８が下降を停止し、このローラ保持部材８の停止状態はローラフォロア６が水平溝１０ｂに沿って水平移動する間において持続されるので、鉤針３だけが下降することになる。したがって、鉤針３が針板を越えた時には図４（Ｂ）、図５（Ｂ）に示すように、鉤針３の糸捕捉鉤３ａは開状態になる。
【００２８】
このように、鉤針３の糸捕捉鉤３ａが上死点から下降して被縫製体に貫通し、針板を越えると糸捕捉鉤３ａは蓋針５から開放され、この糸捕捉鉤３ａの開放状態は鉤針棒２が下降している場合には、針板を超え、被縫製体から抜け出して下死点に達するまでの期間において持続されることになる。
【００２９】
したがって、蓋針駆動機構１Ｂは、鉤針３が上死点から下降して被縫製体に貫通し、針板を超えるまでの期間及び針板を超え、被縫製体から抜け出して上死点に達するまでの期間に糸捕捉鉤３ａを閉塞するように蓋針５を駆動するにあたり、騒音の発生を防止することができる。即ち、本発明の蓋針駆動機構は、蓋針５が担持された蓋針棒４を垂直方向に直線往復運動させたり停止させたりするために、蓋針駆動リンク７のローラフォロア６を案内溝板９のＬ字状溝１０及びローラ保持部材８の溝８ａに沿ってスムーズに移動させることができるので、部品同士を当接して蓋針を停止させる蓋針駆動機構のような打音による騒音を防ぐことができる。
【００３０】
このようなミシンの蓋針駆動機構１Ｂは、鉤針３の糸捕捉鉤３ａを閉塞するための蓋針５を駆動することができるので、糸捕捉鉤を側設した鉤針を使用して１本の縫糸で被縫製体の一側上に手縫いの風合いをかもし出す縫目を形成するミシン等に好適である。この場合、針板の下方に設置された釜から縫糸を引き出し鉤針３の糸捕捉鉤３ａで捕捉して縫目を形成する。
【００３１】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００３２】
【図１】本発明のミシンの蓋針駆動機構による好ましい実施の形態例で、鉤針が下死点に位置する状態を示す斜視図である。
【図２】図１のミシンの蓋針駆動機構を示す分解斜視図である。
【図３】本発明のミシンの蓋針駆動機構において、鉤針が上死点に位置する状態を示す斜視図である。
【図４】鉤針と蓋針との関係を示す斜視図で、（Ａ）は鉤針の糸捕捉鉤が蓋針で閉状態になった図、（Ｂ）は鉤針の糸捕捉鉤が開状態になった図である。
【図５】鉤針と蓋針との関係を示す部分斜視図で、（Ａ）は鉤針の糸捕捉鉤が蓋針で閉状態になった図、（Ｂ）は鉤針の糸捕捉鉤が開状態になった図である。
【符号の説明】
【００３３】
１Ｂ……蓋針駆動機構
２……鉤針棒
３……鉤針
３ａ……糸捕捉鉤
４……蓋針棒
５……蓋針
６……ローラフォロア（凸部）
７……蓋針駆動リンク
８……ローラ保持部材（第１の溝カム体）
９……案内溝板（第２の溝カム体）
１０……Ｌ字状溝
１０ａ……垂直溝
１０ｂ……水平溝
１０ｃ……曲線溝
２４……ローラ
【図１】
2008264414.tif 000003
【図２】
2008264414.tif 000004
【図３】
2008264414.tif 000005
【図４】
2008264414.tif 000006
【図５】
2008264414.tif 000007